(57)【要約】【目的】電子カメラのレンズ直前に、複数個の光学部品を一度に簡易取付け可能にし、その中の任意の部品を自由に選択することにより、撮影に特殊な効果あるいは変化を持たせる機能を提供する。【構成】電子カメラのレンズ面に鉄板８を取付け、複数の光学部品取付け用のアッタチメントホルダ１を有する回転台１１を、磁石９により電子カメラに着脱する機構による。【選択図】　　　図１
0003099935.tif 000002
【実用新案登録請求の範囲】
【請求項１】
電子カメラにおいて、複数の拡張撮影用光学部品を、回転あるいは移動などの操作により取付けを可能にする架台を設け、その底面部に取付けた磁石と、カメラ本体に設けた鉄板などの金属部材とを、磁力により接合取付けし着脱可能にする装置。
【請求項２】
請求項１に示す取付け架台の底面部を鉄板としカメラ本体に磁石を設けるか、あるいは前記接合部が全て磁石から構成される機構を含めた磁力による接合装置。
【請求項３】
電子カメラにおいて、複数の光学部品の同時取付けを可能にした部分に回転機構を設け、任意の光学部品をカメラレンズの中心位置に回転移動し、撮影効果を持たせる装置。
【請求項４】
電子カメラにおいて、複数の光学部品の同時取付けを可能にした部分にスライド機構を設け、任意の光学部品をカメラレンズの中心位置にスライド移動し、撮影効果を持たせる装置。
【請求項５】
請求項１，２，３，４に示す光学部品は、倍率拡大用レンズ、ズーム機構を持つレンズ、偏光板、プリズム板、ホログラフィー板などの、撮影画像に光学的な変化、効果をもたらすことの出来る種々の部材であること。
【考案の詳細な説明】
【０００１】
【産業上の利用分野】
本考案はデジタルカメラ、携帯用カメラを含めた電子カメラにおいて、通常の組み込みレンズに加えさらに変化に富んだ撮影が可能であるような、付加機能を取付けるための取付け装置、手段に関するものである。
【０００２】
【従来の技術】
従来、カラーフィルター、クローズアップ用レンズを含めた拡張撮影用の光学部品を通常の口径のカメラに取付ける装置は、カメラのレンズヘッド部分にネジにより着脱する方式が用いられてきた。又、特に最近の電子カメラなどでは、小型化に伴いレンズのヘッド部分の形、寸法などがさまざまで、取付け寸法がカメラごとに異なり複雑化する。従って、単一光学部品をカメラにテープ貼り付け、あるいは、マグネットなどにより簡易的に着脱する治具が考えられていた。
【０００３】
【考案が解決しようとしている課題】
上記の治具により拡張撮影用の光学部品を電子カメラに着脱する場合、一個ずつ部品を装着していたが、その種類が多い場合には作業が面倒であるし、又、より多機能である方が撮影者にとって好ましい。本考案では、この操作を簡単にするためマグネットによる取付け機構をも含め、複数の光学部品をカメラに一度に装着する装置を考えた。
【０００４】
【課題を解決するために手段】
上記目的を達成するために小型電子カメラでは一つの方法として、本体部分と磁力で着脱する拡張撮影光学部品取付け装置を考案した。多種類の光学部品は、装置の架台上に設けられた複数の取付け穴位置に固定され、撮影時には選択的にカメラのレンズの前に移動し設定される。しかしこれらの装置は、着脱によらず、本体部に直接固定取付けされる手段も考えられる。
【０００５】
【作用】
上記のように構成された拡張撮影用光学部品を取付け固定位置にはめ込み、回転機構、あるいはスライド機構を含めた種々の機構により選択された部品をカメラのレンズの直前に移動する。これにより、各仕様に応じた撮影が可能となる。
【０００６】
【実施例】
実施例について図面を参照して説明する。図１は本考案における、拡張撮影光学部品による撮像原理を示す。この例では、光学部品はアッタチメントホルダ１の内部に収納される拡大、ズームレンズ４の様なレンズ系からなるもの、カラーフィルタ、偏光板５の様な画像変調用部品、特殊効果を持たせるプリズムシート、あるいは撮影合成用のパターンシートの様な部品が考えられる。入射光はこれらの光学部品を通過後、カメラレンズ２により、ＣＣＤあるいはＣ−ＭＯＳなどのセンサー３に結像することにより、それぞれの撮影効果が発揮される。
【０００７】
図２はこの考案の主要な適用例であり、光学部品をカメラ付き携帯電話６にマグネットにより取付けた例で、（ａ）が本体取付けの正面図、（ｂ）がその側面図を示す。図で１に収納された種々の拡張撮影用光学部品は、回転台１１の多数の穴に嵌め込み固定し交換に際し着脱が可能である。軸受け１０は１１の回転保持用であり、磁石９に固定される。９に示す磁石は、埋め込み又は張付け機構により、本体カメラ側に固定された鉄板８と強力な磁力により結合する。これは磁力接合によるものであるから、原理的に図の部品９と８の両方が磁石であっても良いし、逆に部品９が鉄板で８が磁石であってもよく、磁力の強度、機構、簡便さにより適した選択が取られる。８は、鉄以外の物質で磁性体により磁化しうる磁力による機能を持つ、合金材料を用いることも考えられる。又、８の個所は図のような部分的に設置されたものでなく、６の電話カバー全体が、磁性体と合体可能な鉄あるいは合金素材により作られたものであっても良い。このように、１、９，１０，１１の構成からなる部品は、操作時に互いに外れたり脱落しない固定機構を持ち、本体部に合体する。図２の（ａ）に示すような回転台１１に設けられた複数の穴位置に、アタッチメントホルダ１の拡張撮影光学部品を挿入する。これにより、従来のように光学部品をいちいち着脱しなくても、本考案による回転動作により、撮影時に瞬時に部品の選択が可能となる。むろんこれは概略図であり、製品化に際し図に記されてない回転位置止め，ストッパー，落下防止などの細かな機構も必要となる。従来の電子カメラに関する外部取付け拡張部品は、拡大用レンズあるいはズームレンズなどが主に用いられ、その種類は少ない。しかし本考案により、取付け部品により多様性を持たせることができるので、撮影により多くの効果を待たせ、電子カメラの用途、市場の開発に貢献することが期待される。その例として、例えばプリズム形状の板を取付けることにより、光の回折効果によるいわゆる虹色に染まった描写の撮影可能で、趣味、芸術的な効果を生み出す。また、産業上でも偏光板の挿入による観察像のコントラストの増強、構造の変化などの観測、カラーフィルターの挿入による画像効果、処理などが容易に撮影可能となる。これらの画像は携帯電話用の無線アンテナ７によって伝送される。図３本考案の基本となる部分を分かりやすく示すため、３次元的な立体的モデルで示した図である。
【０００８】
図４は、前記の回転台１１による部品取付け回転機構をスライドする機構に変え、磁力によりカメラ本体部と接合する装置を示したものである。図４の（ａ）は、その正面図で図４の（ｂ）は側面図を示す。図４で、固定台１３は軸受け１０に相当し、スライド架台１２は回転台１１に相当する。このスライド機構により、１２の複数の穴位置に設置された光学部品の中から、即座に拡張撮影光学部品を選択することが出来る。図５は、図４のスライド部分のみを立体的に分かりやすく示し、加えてバネ板押え１４とそのネジ止め１５を設けた構図を示す。これによりスライド板１２の外れ防止機構が工夫されている。部品１２と１３は、磁力により容易に接合する機構のものであっても良い。以上の図では、カメラ付き携帯用電話を例に、本考案により取付け機構を示したものである。
【０００９】
以上の例では図２，３，４に示す磁石による取付け装置を示したが、場合によっては必ずしも磁石などの着脱によらず、図５に示すようなスライド機構あるいは回転機構を、何らかの方法で直接カメラ本体部に取付け固定する装置も考えられる。これらの装置は、少し大型で高画質なＣＣＤあるいはＣ−ＭＯＳを用いたデジタルカメラなどに対しても適用可能なものであり、デジタルカメラの市場拡大にも、役立てることを目的としている。
【００１０】
【考案の効果】
本考案は、上記の通りに構成されているので、下記に記載される効果を生む。従来の取付け治具と異なり、一度に多くの光学部品をカメラ本体に容易に取付ける装置が可能になった。その際、固定台に取付けられた多数の光学部品は、回転あるいはスライド機構により、電子カメラ本体のレンズ部直前に選択的に配置することが可能となった。これにより従来の写真に加え新たな特殊画像が可能となり、趣味の世界に限らず、産業用計測、画像処理などの分野にも小型電子カメラの応用分野が拡大でき、市場の展開に大いに貢献することが期待される。
【図面の簡単な説明】
【図１】種々の拡張光学部品取付けによる撮像図
【図２】光学部品を回転選択し、カメラに磁石取付けをする装置図。
【図３】回転機構の概略立体図
【図４】光学部品をスライド選択し、カメラに磁石取付けをする装置図。
【図５】スライド機構の概略立体図
【符号の説明】
１　アタッチメントホルダ
２　カメラレンズ
３　センサー
４　拡大、ズームレンズ
５　カラーフィルタ、偏光板
６　カメラ付き携帯電話
７　アンテナ
８　鉄板
９　磁石
１０　軸受
１１　回転台
１２　スライド架台
１３　固定台
１４　バネ板押え
１５　ネジ止め
【図１】
0003099935.tif 000003
【図２】
0003099935.tif 000004
【図３】
0003099935.tif 000005
【図４】
0003099935.tif 000006
【図５】
0003099935.tif 000007
【手続補正書】
【提出日】平成15年7月18日(2003.7.18)
【手続補正１】
【補正対象書類名】明細書
【補正対象項目名】考案の名称　実用新案登録請求の範囲
【補正方法】変更
【補正の内容】
【実用新案登録請求の範囲】
【請求項１】
複数の拡張撮影用光学部品が取付け可能な架台の底面部に磁石を設け、架台と対向するカメラ本体の面に施した鉄板などの着磁性金属部材と、磁力により着脱可能な電子カメラ。
【請求項２】
請求項１に示す取付け架台の底面部に鉄板などの着磁性金属部材を設け、架台と対向するカメラ本体の面に施した磁石と、磁力により着脱可能な電子カメラ。
【請求項３】
前記架台はカメラ本体に取付けられた回転台で、回転台上に複数の光学部品が等角的に配置されており、その中の任意の光学部品をカメラレンズの中心位置に移動し、種々の撮影効果を持たせることの出来る請求項１及び請求項２に記載の電子カメラ。
【請求項４】
前記架台はカメラ本体にスライド可能に取付けられたスライドで、スライド台上に複数の光学部品が等間隔に配置されており、その中の任意の光学部品をカメラレンズの中心位置に移動し、種々の撮影効果を持たせることの出来る請求項１及び請求項２に記載の電子カメラ。
【請求項５】
拡張撮影用光学部品が倍率拡大用レンズ、ズーム機構を持つレンズ、偏光板、プリズム板、ホログラフィー板からなる請求項１，２，３，４に記載の電子カメラ。
【手続補正書】
【提出日】平成15年9月27日(2003.9.27)
【手続補正２】
【補正対象書類名】明細書
【補正対象項目名】実用新案登録請求の範囲
【補正方法】変更
【補正の内容】
【実用新案登録請求の範囲】
【請求項１】
複数の拡張撮影用光学部品が取付け可能な架台の底面部に磁石を設け、架台と対向するカメラ本体の面に施した鉄板などの着磁性金属部材と、磁力により着脱可能な電子カメラ。
【請求項２】
請求項１に示す取付け架台の底面部に鉄板などの着磁性金属部材を設け、架台と対向するカメラ本体の面に施した磁石と、磁力により着脱可能な電子カメラ。
【請求項３】
前記架台はカメラ本体に取付けられた回転台で、回転台上に複数の光学部品が等角的に配置されており、その中の任意の光学部品をカメラレンズの中心位置に移動し、種々の撮影効果を持たせることの出来る請求項１及び請求項２に記載の電子カメラ。
【請求項４】
前記架台はカメラ本体にスライド可能に取付けられたスライドで、スライド台上に複数の光学部品が等間隔に配置されており、その中の任意の光学部品をカメラレンズの中心位置に移動し、種々の撮影効果を持たせることの出来る請求項１及び請求項２に記載の電子カメラ。
【請求項５】
拡張撮影用光学部品が倍率拡大用レンズ、ズーム機構を持つレンズ、偏光板、プリズム板、ホログラフィー板からなる請求項１，２，３，４に記載の電子カメラ。